(57)【要約】【課題】ＰＵＳＨ　ＴＯ　ＥＪＥＣＴ方式を用いて格納部に格納している記録媒体のロックを解除して記録媒体を抜き出す場合に、勢い良く飛び出すのを防ぐ。【解決手段】所定の差込口から差し込まれた記録媒体を所定の位置に格納し、格納された記録媒体と情報の授受を行う電子機器であって、差込口１０ａから差し込まれ、指Ｆで押されることによって挿入される記録媒体２０を保持し、指Ｆで再度押されることによって該記録媒体２０を該差込口１０ａから突出させる記録媒体保持部材と、差込口１０ａに差し込まれた記録媒体２０を押し込む指の横滑りを止める指止リブ１０ｂとを備えた。【選択図】　図６
2004054427.tif 000002
【特許請求の範囲】
【請求項１】
所定の差込口から差し込まれた記録媒体を所定の位置に格納し、格納された記録媒体と情報の授受を行う電子機器であって、
前記差込口から差し込まれ、指で押されることによって挿入される記録媒体を保持し、指で再度押されることによって該記録媒体を該差込口から突出させる記録媒体保持部材と、
前記差込口に差し込まれた記録媒体を押し込む指の横滑りを止める指止リブとを備えたことを特徴とする電子機器。
【請求項２】
前記指止リブは、前記差込口に隣接する位置に備えられた、前記記録媒体が該差込口から排出される方向に突き出してなるものであることを特徴とする請求項１記載の電子機器。
【発明の詳細な説明】
【０００１】
【発明の属する技術分野】
本発明は、半導体メモリなどの記録媒体を格納する記録媒体格納部を有し、その記録媒体格納部に格納された記録媒体と情報の授受を行う電子機器に関する。
【０００２】
【従来の技術】
従来、デジタルカメラ、携帯電話機などの携帯用電子機器には、各種データの書込用や読出用の記録媒体として板状の半導体メモリが使用されている。これ板状の半導体メモリは、メモリーカードとして知られており、メモリーカードにコネクタ端子が設けられているとともに、そのメモリカードが格納される電子機器の格納部内にもコネクタ端子が設けられ、メモリカードが格納部に格納されると、コネクタ端子相互が接続され、電子機器とメモリカード相互間でデータの授受を行うことができるように構成するのが一般的である。
【０００３】
今日、電子機器のモバイル化が進展し、電子機器の小型化に対する要請が強いため、小型化された電子機器内に、メモリカードをいかに効率よく、操作がしやすいように格納するかが課題となっている。
【０００４】
特開２００２−８７７７号公報には、電子機器の筐体自体をメモリカードを保持するための部材として活用し、メモリカードを保持するための部材等の筐体内部への設置を不要とする技術が開示されている。
【０００５】
しかしながら、カード格納扉を使用したメモリーカード装着機構においては、メモリカードの上端面をカード格納扉の上端面よりも下方位置まで差し込まねばならないので、カードを取り出す際にメモリカードの上端を指先で摘むのが難しいという問題がある。
【０００６】
このため、特開平７−１４１４７３号公報には、カード格納扉を開けると、コネクタ端子に接続されているメモリカードがカードの抜き取り方向に排出されるように構成され、カード格納扉からのメモリカードの抜き取りを容易にする技術が開示されている。
【０００７】
しかし、メモリカードの差込口が開いていると、塵、埃、水滴等の侵入を防ぐことが出来ず、メモリカードが接触不良を起こしたり、破損するといった問題があり、特開平１０−１５４２１０号公報には、トレイの開口部を塞ぐ形状を有する、引出し式のトレイ構造のホルダーにメモリカードを着脱することにより、塵、埃、水滴等の侵入を防ぐとともに、メモリカードの着脱を容易にする技術が開示されている。
【０００８】
【発明が解決しようとする課題】
しかしながら、特開平７−１４１４７３号公報や特開平１０−１５４２１０号公報などに開示された技術によれば、メモリカードの抜き出しや、塵、埃、水滴等の侵入防止は容易であるが、格納扉を開いたり、トレイを出し入れする必要があり、そのための機構やスペースが必要になる。
【０００９】
したがって、メモリカードを電子機器の格納部に格納することによりロックし、格納されたメモリカードを格納部にさらに押し込むことにより、ロックを解除し、ばねの付勢力でメモリカードを格納部から排出することができる、いわゆるプッシュ　ツー　イジェクト（ＰＵＳＨ　ＴＯ　ＥＪＥＣＴ）方式の方が着脱が容易で、かつ簡便である。
【００１０】
しかしながら、ＰＵＳＨ　ＴＯ　ＥＪＥＣＴ方式を用いる場合には、格納されたメモリカードを、さらに押し込んでロックを解除する際に、押し込んだ指が横に滑り、メモリカードの差込口から外れた場合には、ロックを解除されたメモリカードが、ばねの付勢力で差込口から勢い良く外に飛び出すことがある。
【００１１】
図１は、ＰＵＳＨ　ＴＯ　ＥＪＥＣＴ方式を用いた電子機器のメモリカード格納部にメモリカードを格納する状態を示す図である。
【００１２】
図１に示すように、電子機器のメモリカード格納部１０と、メモリカード差込口１０ａと、コネクタ端子ボード１１があり、メモリカード差込口１０ａからメモリカード２０を差し込んだ、イジェクト位置Ｐ１と、メモリカード格納部の所定の格納位置にメモリカードを格納してロックしたロック位置Ｐ２と、ロック位置Ｐ２にあるメモリカード２０を指Ｆでさらに押し込みロックを解除するロック解除位置Ｐ３とがある。
【００１３】
図２は、ロック位置Ｐ２にあるメモリカードを指でさらに押し込んだロック解除状態を示す図である。
【００１４】
図２に示すように、メモリカード２０をロック解除位置Ｐ３まで押し込むと、メモリカード２０はロックが解除されるので、そのとき指Ｆが横に滑ると（矢印Ａ方向）、メモリカードは、図示しないばねに付勢されて、メモリカード格納部１０から矢印Ｂ方向に勢い良く飛び出す場合がある。
【００１５】
本発明は、上記事情に鑑み、記録媒体の格納部を有する電子機器において、ＰＵＳＨ　ＴＯ　ＥＪＥＣＴ方式を用いて格納部に格納している記録媒体のロックを解除して記録媒体を抜き出す場合に、記録媒体が格納部から勢い良く飛び出すのを防止することができる電子機器を提供することを目的とする。
【００１６】
【課題を解決するための手段】
上記目的を達成する本発明の電子機器によれば、所定の差込口から差し込まれた記録媒体を所定の位置に格納し、格納された記録媒体と情報の授受を行う電子機器であって、
上記差込口から差し込まれ、指で押されることによって挿入される記録媒体を保持し、指で再度押されることによって該記録媒体を該差込口から突出させる記録媒体保持部材と、
上記差込口に差し込まれた記録媒体を押し込む指の横滑りを止める指止リブとを備えたことを特徴とする。
【００１７】
このように、記録媒体保持部材に保持された記録媒体を解除し、差込口から突出させるときに、記録媒体を押し込む指が指止リブに掛かり、横滑りが防げるので、記録媒体が差込口から勢い良く飛び出すことがない。
【００１８】
ここで、上記指止リブは、上記差込口に隣接する位置に備えられた、上記記録媒体が該差込口から排出される方向に突き出してなるものであることも好ましい態様である。
このように、指止リブが、記録媒体が排出される方向に突き出していれば、指掛かりが確実になり、記録媒体の飛び出しを確実に防止することができる。
【００１９】
【発明の実施の形態】
以下、本発明の電子機器の実施形態について説明する。
【００２０】
図３から図５は、本実施形態のデジタルカメラのメモリカード格納部の主要部を示す概略構成図であり、図３は、メモリカードをメモリカード格納部から排出したイジェクト状態、あるいはメモリカード差込口に差し込んだ初期状態を示し、図４は、メモリカード格納部の格納位置にメモリカードを格納したロック状態を示し、図５は、ロック状態からメモリカードをさらに押し込んだロック解除状態を示している。
【００２１】
図３（ａ）、図４（ａ）、および図５（ａ）は、メモリカード格納部１０の主要部を示し、メモリカード格納部１０は、メモリカード差込口１０ａと、メモリカード２０をガイドして移動するガイド部材１２と、メモリカード格納部１０に固定されるとともにガイド部材１２と係合し、メモリカード２０が格納されたときにガイド部材１２をロックし、ロック状態からメモリカード２０がさらに押し込まれるとガイド部材１２のロック状態を解除する移動規制部材１４と、ガイド部材１２をメモリカード差込口１０ａに向けて付勢するばね１３と、コネクタ端子１１ａが形成されたコネクタボード１１とを備えている。
【００２２】
また、メモリカード差込口１０ａに隣接する位置には、メモリカード格納部１０と一体成形された指止リブ１０ｂを備えている。
【００２３】
ここで、本実施形態のガイド部材１２、ばね１３、および移動規制部材１４は、本発明の記録媒体保持部材に相当する。
【００２４】
図３（ａ）に示す初期状態においては、ガイド部材１２は、移動規制部材１４によるロック状態から解放されるとともに、ばね１３が伸張してメモリカード差込口１０ａに最も近づき、メモリカード差込口にメモリカードが矢印Ｃ方向に差し込まれる。
【００２５】
図４（ａ）に示すロック状態においては、メモリカード２０は、ばね１３の付勢力を上回る押圧力で押し込まれてメモリカード格納部１０の格納位置に格納され、ガイド部材１２は、ばね１３が収縮して移動規制部材１４によりロックされた状態となっている。メモリカード２０の図示しないコネクタ端子は、コネクタ端子ボード１１に形成されたコネクタ端子１１ａに接触し、電子機器とメモリカード２０との間でデータの授受を行うことができる。
【００２６】
図５（ａ）に示すロック解除状態においては、メモリカード２０は、ばね１３の付勢力を上回る押圧力でメモリカード格納部１０の格納位置よりもさらに押し込まれ、ガイド部材１２は、ばね１３が極限まで収縮し、移動規制部材１４によりロックされた状態から解放され、メモリカードが矢印Ｄ方向に突き出す状態となっている。
【００２７】
図３（ｂ）、図４（ｂ）、および図５（ｂ）は、ガイド部材１２の側面を示し、ガイド部材の側面１５は、メモリカードが差し込まれる矢印Ｃ方向の溝１５ａと、メモリカードが突き出す矢印Ｄ方向に溝１５ｂが設けられ、矢印Ｃ方向の溝１５ａの終点および矢印Ｄ方向の溝１５ｂの終点にはそれぞれの溝の合流点１５ｃがある。矢印Ｃ方向の溝１５ａおよび矢印Ｄ方向の溝１５ｂは、終点に近づくほど浅くなっており、合流点１５ｃでは、深さの異なる溝がぶつかりあっている。また、矢印Ｃ方向の溝１５ａの終点にある合流点１５ｃの、矢印Ｄ方向の溝１５ｂ側にその合流点よりも高く突き出た、ハート形をした係止部１５ｄが設けられている。
【００２８】
ガイド部材の側面１５に設けられたこれらの溝１５ａ，１５ｂ，１５ｃ及びハート形をした係止部１５ｄには、メモリカード格納部１０に固定されたピン状の移動規制部材１４が係合することにより、ガイド部材１２は、移動が規制される。
【００２９】
図３（ｂ）に示す初期状態においては、ガイド部材１２がメモリカード差込口１０ａに最も近づき、ピン状の移動規制部材１４は、ガイド部材の側面１５に設けられた溝１５ａの下部に位置している。
【００３０】
図４（ｂ）に示すロック状態においては、ばね１３が収縮し、メモリカード２０が格納されて、ガイド部材の側面１５は、ピン状の移動規制部材１４により矢印Ｃ方向の移動がロックされている。
【００３１】
図３（ｂ）に示す初期状態からこのロック状態に移行するときは、メモリカードが指で押し込まれ、ガイド部材１２が矢印Ｄ方向に移動するため、ピン状の移動規制部材１４は、矢印Ｃ方向の溝１５ａの下部（溝が深くなっている。）から矢印Ｃ方向の溝１５ａの上部（溝が浅くなっている。）に位置するところとなるが、メモリカードから指が離れるとばね１３の付勢力によりガイド部材１２が矢印Ｄ方向に移動すると、ピン状の移動規制部材１４が合流点１５ｃの比較的深い溝に嵌り、ハート形をした係止部１５ｄに係合する。したがって、ガイド部材１２がばね１３に付勢されて矢印Ｃ方向に移動できないようにロックされる。
【００３２】
図５（ｂ）に示すロック解除状態においては、メモリカード２０は、ばね１３の付勢力を上回る指の押圧力で押し込まれ、ばね１３が極限まで縮み、ピン状の移動規制部材１４がハート形をした係止部１５ｄから外れ、ばね１３に付勢されて矢印Ｃ方向に移動できる状態となる。
【００３３】
図４（ｂ）に示すロック状態からこのロック解除状態に移行するには、ガイド部材１２が矢印Ｄ方向に移動し、ピン状の移動規制部材１４は、ハート形をした係止部１５ｄにロックされた位置（溝が比較的浅くなっている。）から、矢印Ｄ方向の溝１５ｂの上部（溝が深くなっている。）に位置するところとなり、ガイド部材１２は、矢印Ｃ方向の移動が可能になる。そして、ばね１３の付勢力によって矢印Ｃ方向に移動し、ピン状の移動規制部材１４は、図３（ｂ）に示す、矢印Ｃ方向の溝１５ａの下部に位置するところとなる。
【００３４】
ここで、ハート形をした係止部１５ｄが設けられている合流点１５ｃにおける溝の深さよりも、矢印Ｄ方向の溝１５ｂの上部における溝の深さの方が深いので、ピン状の移動規制部材１４が再びハート形をした係止部１５ｄの位置に戻ることはない。また、矢印Ｄ方向の溝１５ｂから矢印Ｃ方向の溝１５ａに移る合流点１５ｃで、溝の深さは急に深くなるので、ピン状の移動規制部材１４が再び矢印Ｄ方向の溝１５ｂに戻ることはない。したがって、ガイド部材１２は、初期状態からロック状態へと移動し、ロック状態からロック解除状態へと移動するのに伴ってピン状の移動規制部材１４とガイド部材の側面１５とは、溝１５ａ，１５ｂ，１５ｃ及びハート形をした係止部１５ｄと時計回りに係合し、メモリカード２０をメモリカード格納部１０に格納したり、排出したりすることができる。
【００３５】
図６は、メモリカード格納部のメモリカード差込口付近の正面を示す図である。
【００３６】
図６に示すメモリカード格納部１０には、メモリカード２０が格納され、図示しないガイド部材１２が移動規制部材１４にロックされている。メモリカード格納部１０を正面から見ると、メモリカード差込口１０ａは、逆Ｌ字形の形状をなし、格納されたメモリカード２０の１部がメモリカード差込口１０ａから外側に出ている。また、メモリカード差込口１０ａに隣接する位置には、矢印Ｄ方向に突き出した指止リブ１０ｂが配置されている。
【００３７】
格納されたメモリカード２０を抜き出すときは、メモリカード差込口１０ａから外側に出ているメモリカード２０を指Ｆでさらに押し込み、図示しないガイド部材１２の係止部１５ｂと移動規制部材１４との係合を外してロックを解除する。ロックが外れたガイド部材１２に保持されているメモリカード２０は、ばね１３の付勢力で、勢い良くメモリカード差込口１０ａから飛び出そうとする。
【００３８】
しかし、本実施形態では、メモリカード差込口１０ａに隣接する位置に指止リブ１０ｂが配置されているので、ロックを解除した指Ｆが横滑りすることなくそのメモリカード差込口１０ａに指掛かりしており、その指に押さえられてメモリカード２０が飛び出すのを防止できる。
【００３９】
本実施形態では、電子機器がデジタルカメラである場合について説明したが、電子機器は、デジタルカメラに限定されるものではなく、携帯電話機、電子手帳、電子辞書などにも適用される。また、記録媒体は、メモリカードに限定する必要はなく、ばねに付勢されて差込口から飛び出す構造のメモリなどであれば適用される。また、記録媒体に限らず、例えばカード型電池、カード型内蔵リモコンなどにも応用することができる。
【００４０】
【発明の効果】
以上、説明したように、本発明の電子機器によれば、ＰＵＳＨ　ＴＯ　ＥＪＥＣＴ方式を用いて格納部に格納している記録媒体のロックを解除して記録媒体を抜き出す場合に、指止リブに指が掛かったままロックが解除されるので記録媒体が格納部から勢い良く飛び出すのを防止することができる。
【図面の簡単な説明】
【図１】ＰＵＳＨ　ＴＯ　ＥＪＥＣＴ方式を用いた電子機器のメモリカード格納部にメモリカードを格納する状態を示す図である。
【図２】ロック位置Ｐ２にあるメモリカードを指でさらに差し込んだロック解除状態を示す図である。
【図３】本実施形態のデジタルカメラのメモリカード格納部の主要部を示す概略構成図（初期状態）である。
【図４】本実施形態のデジタルカメラのメモリカード格納部の主要部を示す概略構成図（ロック状態）である。
【図５】本実施形態のデジタルカメラのメモリカード格納部の主要部を示す概略構成図（ロック解除状態）である。
【図６】メモリカード格納部のメモリカード差込口付近を示す図である。
【符号の説明】
１０　メモリカード格納部
１０ａ　メモリカード差込口
１０ｂ　指止リブ
１１　コネクタ端子ボード
１１ａ　コネクタ端子
１２　ガイド部材
１３　ばね
１４　移動規制部材
１５　ガイド部材の側面
１５ａ　矢印Ｃ方向の溝
１５ｂ　矢印Ｄ方向の溝
１５ｃ　合流点
１５ｄ　係止部
【図１】
2004054427.tif 000003
【図２】
2004054427.tif 000004
【図３】
2004054427.tif 000005
【図４】
2004054427.tif 000006
【図５】
2004054427.tif 000007
【図６】
2004054427.tif 000008